(57)【特許請求の範囲】
【請求項１】
汚濁拡散を防止するカーテンと、前記カーテンの一側面に配設され、縦方向に所定間隔で配置されると共に複数列で配列された環状部材と、前記環状部材に挿通され、一端が前記カーテンの下端に接続される吊上用ワイヤと、前記カーテンの他側面に配設され、前記環状部材の配列に整合させて縦方向に繋止した中間ウェイトチェーンと、を具備したことを特徴とする吊下式汚濁防止膜。
【請求項２】
前記中間ウェイトチェーンを縦方向に隣接する環状部材間の略中間位置から下側の環状部材に亘って繋止したことを特徴とする請求項１に記載の吊下式汚濁防止膜。
【請求項３】
前記中間ウェイトチェーンを千鳥状に配置したことを特徴とする請求項１又は２に記載の吊下式汚濁防止膜。
【請求項４】
前記カーテンに当該汚濁防止膜を横断する複数の繋合部を設けておいて、前記環状部材を隣接する前記繋合部の略中央に配設したことを特徴とする請求項１乃至３のいずれかに記載の吊下式汚濁防止膜。
【発明の詳細な説明】
【０００１】
【発明の属する技術分野】
本発明は、吊下式汚濁防止膜の改良に関する。
【０００２】
【従来の技術】
湾内工事等の水域工事を行う場合に、工事水域を囲うように汚濁防止膜を布設して、当該工事水域外への汚濁拡散を防止することが従来から行われていた。このような汚濁防止膜は、一般に、カーテンの下縁に沿って略水平方向に延びるアンカーチェーンが繋止されており、該アンカーチェーンの重みによりカーテンを水中に垂下させている。また、上記汚濁防止膜は、一般に、５〜１０ｍのカーテン長を有しており、このような汚濁防止膜を撤去する場合には、潜水夫が水中のカーテンを巻き上げてフロートに括付け、該フロートと一体となった汚濁防止膜をクレーンで吊上げて陸揚げされていた。
【０００３】
ところで、ダム堤体に取水口を追加施工するに際して当該ダム堤体に止水壁を構築し、該止水壁の内側に工事用空間を現出させることが従来から行われており、この場合、工事領域の汚濁拡散を防止するためには、水面からダム湖底に達する、例えば、縦方向の長さ（以下、カーテン長と称す）が５０ｍに及ぶ汚濁防止膜を水中に布設する必要がある。このような汚濁防止膜は、潜水夫により巻き上げることが不可能となり、１基（幅寸法１５ｍ程度）の汚濁防止膜を水中から引き上げるには、４〜５台のウィンチで同時に吊上用ワイヤを巻き上げる必要がある。
【０００４】
【発明が解決しようとする課題】
しかしながら、従来の汚濁防止膜２２は、図１０の（ａ）に示すように、アンカーチェーン２３がカーテン１０の下縁に沿って略水平方向に延びるように設置されており、このような汚濁防止膜２２を、数台のウィンチで吊上用ワイヤ６を巻き上げて引き上げた場合、図１０の（ｂ）に示すように、アンカーチェーン２３の略中央が自重で垂下し、該垂下したアンカーチェーン２３にカーテン１０が引き寄せられて、これにより、当該カーテン１０が、中央に寄ってしまい巻き上げ不能となる虞がある。
【０００５】
そこで本発明は、上記事情に鑑みてなされたもので、カーテンが縦方向に長い場合であっても、容易に巻き上げることができる吊下式汚濁防止膜を提供することを目的とする。
【０００６】
【課題を解決するための手段】
上記目的を達成するために、本発明は、汚濁拡散を防止するカーテンと、カーテンの一側面に配設され、縦方向に所定間隔で配置されると共に複数列で配列された環状部材と、環状部材に挿通され、一端がカーテンの下端に接続される吊上用ワイヤと、カーテンの他側面に配設され、環状部材の配列に整合させて縦方向に繋止した中間ウェイトチェーンと、を具備したことを特徴とする。
【０００７】
本発明は、このように構成することで、ウィンチ等で吊上用ワイヤを巻き上げることにより、中間ウェイトチェーンは、下端部が上方に引き上げられてカーテンの他側面側に湾曲し、垂下されるので、汚濁防止膜は、中間ウェイトチェーンに倣って下端と最下位置の環状部材との間をカーテンの他側面側に徐々に湾曲させ、二つ折りに折り重なる。さらに、中間ウェイトチェーンの縦方向に隣接する環状部材間が順次カーテンの他側面側に湾曲されるので、汚濁防止膜は、隣接する環状部材間が順次ジグザグ状に多段で折畳まれることとなる。
【０００８】
また、本発明は、中間ウェイトチェーンを、縦方向に隣接する環状部材間の略中間位置から下側の環状部材に亘って繋止させてもよい。これにより、上記吊上用ワイヤを巻き上げた際に順次湾曲されて重ねられる中間ウェイトチェーンの厚みを小さくでき、汚濁防止膜を引き上げ易くすることができる。さらに、上記中間ウェイトチェーンを千鳥状に配設することで、順次湾曲されて重ねられる中間ウェイトチェーンの厚みをより小さくして、汚濁防止膜をより引き上げ易くすることができる。
【０００９】
また、本発明は、汚濁防止膜を横断する複数の繋合部をカーテンに設けておいて、環状部材を隣接する繋合部の略中央に配設するように構成してもよい。この場合、上記繋合部を順次屈折させることで、カーテンを整然と二つ折りに折り重ることができる。
【００１０】
【発明の実施の形態】
本発明の一実施の形態の吊下式汚濁防止膜を図１ないし図９に基づいて説明する。本発明に係る吊下式汚濁防止膜１は、特定水域からの汚濁拡散を防止する吊下式汚濁防止膜１であって、図３に示すように、縦方向に所定間隔で配置されたワイヤガイド（環状部材）２をカーテン１０の一側面１０ａに複数列で配設し、該縦方向のワイヤガイド２の列の各々に、一端がカーテン１０の下端に接続された吊上用ワイヤ６を挿通しておいて、カーテン１０の他側面１０ｂに、ワイヤガイド２の列に整合させて中間ウェイトチェーンを配設して構成した。
【００１１】
これにより、本発明に係る汚濁防止膜１は、フロート台船５に設置した複数のウィンチ７（図４及び図７参照）を駆動して吊上用ワイヤ６を巻き上げると、図１に示すように、中間ウェイトチェーンの下端部が上方に引き上げられて、該下端部と最下位置のワイヤガイド（環状部材）２との間の中間ウェイトチェーンを徐々にカーテン１０の他側面１０ｂ側に湾曲させるように構成されている。これにより、本汚濁防止膜１は、上記中間ウェイトチェーンの湾曲に倣って、下端と最下位置のワイヤガイド２との間の部位のカーテン１０を、他側面１０ｂ側に湾曲させるようにして二つ折りに折り重ねる。そして、本汚濁防止膜１は、縦方向に隣接するワイヤガイド２間の中間ウェイトチェーンを順次カーテン１０の他側面１０ｂ側に湾曲させることにより、隣接するワイヤガイド２間のカーテン１０をジグザグ状に多段で折畳む構造になっている。
【００１２】
図２に示すのは、本発明に係る吊下式汚濁防止膜１をダムの堤体８に構築した一例で、当該汚濁防止膜１を吊持するフロート台船５が工事水域（図２及び図４中のＳ）を囲むように略コの字状に浮設されている。そして、本汚濁防止膜１は、図７に示すように、該フロート台船５の外側面に配設された係留部（図示せず）とカーテン１０の上端に所定間隔で配設した吊下用金具（図示せず）とを吊下用チェーン９で接続し、フロート台船５と汚濁防止膜１とを連結した構造になっている。この汚濁防止膜１は、図２及び図４に示すように、堤体８に隣接して設置された第１の汚濁防止膜１ａ及び第４の汚濁防止膜１ｄと、第１の汚濁防止膜１ａに繋合された第２の汚濁防止膜１ｂと、一側が第２の汚濁防止膜１ｂに繋合されると共に他側が第４の汚濁防止膜１ｄに繋合された第３の汚濁防止膜１ｃと、に分割して形成されている。
【００１３】
ここでは、本発明に係る汚濁防止膜１の詳細を、図３に示す第１の汚濁防止膜１ａを基に説明する。本第１の汚濁防止膜１ａは、カーテン１０がポリエステル系の化学繊維により形成されており、当該第１の汚濁防止膜１ａを横断する複数の繋合部１１（図９参照）で水平方向に分割されている。そして、これら繋合部１１両側のカーテン１０の縁部には連結用ベルト１２が延設されており、本第１の汚濁防止膜１ａは、隣接する連結用ベルト１２を繋合させ、分割形成されたカーテン１０を順次連結させる構造になっている。
【００１４】
また、図３に示すように、第１の汚濁防止膜１ａには、縦方向に所定間隔を有して配置された複数（本実施例では５個）のワイヤガイド（環状部材）２が、複数列（本実施例では５列）でカーテン１０の一側面１０ａに配設されており、これらワイヤガイド２の列の下端には、図６に示すように、Ｄの字状の環状部材を備えたジョイント金具１３が配設されている。そして、同一列上の縦方向に配設されたワイヤガイド２の各々には、一側端を上記ジョイント金具１３に接続させる吊上用ワイヤ６が挿通されており、各々の吊上用ワイヤ６の他側は、図４、図７及び図８に示すように、フロート台船５上に配設されたそれぞれのウィンチ７に巻き取り可能に保持されている。これら吊上用ワイヤ６は、図７に示すように、フロート台船５の側縁部に設置されたガイドローラ１４で案内されて水中に垂下されている。
【００１５】
なお、図３に示すように、カーテン１０の一側面１０ａには補強ベルト１５が格子状に設けられており、上記ワイヤガイド（環状部材）２は、縦方向の補強ベルト１５と横方向の補強ベルト１５との交差部に配設されている。また、図３中の符号１８は、第２の汚濁防止膜１ｂの一側縁に配設された図示しないジョイント用ロープ（ナス環付）に係合させて当該第１の汚濁防止膜１ａと第２の汚濁防止膜１ｂとを繋合させるジョイント用ロープ（ナス環付）（図９参照）である。
【００１６】
また、本発明に係る第１の汚濁防止膜１ａには、図３に示すように、中間ウェイトチェーンとしての上部ウェイトチェーン１９及び中間部ウェイトチェーン２０がカーテン１０ａ他側面１０ｂに繋止されており、各々のウェイトチェーン１９，２０は、カーテン１０の一側面１０ａ側の縦方向に延出するワイヤガイド２の列に整合させて複数列（本実施例では５列）で配設されている。上記上部ウェイトチェーン１９は、カーテン１０の上端縁に延設された連結用ベルト１２と図３中の上から２番目の繋合部１１に亘って繋止されている。また、中間部ウェイトチェーン２０は、繋合部１１から該繋合部１１の直下に位置するワイヤガイド２に亘って繋止されており、上部ウェイトチェーン１９の下方の領域に、千鳥状に配設されている。なお、最下位置の中間部ウェイトチェーン２０の下端は、カーテン１０ａの下端に繋止されている。また、本第１の汚濁防止膜１は、中間部ウェイトチェーン２０の配置を千鳥状に限定するものでなく、所要に応じて適宜配設されるものである。
【００１７】
また、本発明に係る第２の汚濁防止膜１ｂ、第３の汚濁防止膜１ｃ及び第４の汚濁防止膜１ｄは、上記第１の汚濁防止膜１ａと略同一の構成を成しており、各々の汚濁防止膜１ｂ，１ｃ，１ｄには第１の汚濁防止膜１ａと同じ位置（高さ）に繋合部１１（図３参照）が形成されている。さらに、汚濁防止膜１ｂ，１ｃ，１ｄには、各々のカーテン１０の一側面１０ａに複数のワイヤガイド（環状部材）２が複数列で配設されており、同一列に配設されたワイヤガイド２にはそれぞれ吊上用ワイヤ６が挿通され、当該吊上用ワイヤ６の一端はそれぞれのワイヤガイド２の列の下端のジョイント金具１３（図６参照）に接続されている。また、これら吊上用ワイヤ６の他側は、図４、図７及び図８に示すように、フロート台船５上に配設されたウィンチ７にそれぞれ巻き上げ可能に保持されている。そして、上記汚濁防止膜１ｂ，１ｃ，１ｄには、中間ウェイトチェーンとしての上部ウェイトチェーン１９及び中間部ウェイトチェーン２０が各々のカーテン１０の他側面１０ｂに配設されており、このうち中間部ウェイトチェーン２０は、上記第１の汚濁防止膜１ａの場合と同様に上部ウェイトチェーン１９の下方の領域に、千鳥状（図３参照）に配設されている。
【００１８】
なお、汚濁防止膜１ａ，１ｂ，１ｃ，１ｄは、互いに隣接した連結用ベルト１２（図９参照）をジョイント用ロープ（ナス環付）１８で繋合し、連結される構造になっている。また、第１の汚濁防止膜１ａ及び第４の汚濁防止膜１ｄの堤体８に近接する上部ウェイトチェーン１９は、汚濁防止膜１を水域に垂下させた後、図５に示すように、その上端が堤体８に設けられた係船環２１に盛替えられる構造になっている。さらに、各々の汚濁防止膜１ａ，１ｂ，１ｃ，１ｄのカーテンの下端は、図２に示すように、水域の底の形状に合わせて所要に形成されている。
【００１９】
このような構成において、本実施の形態の吊下式汚濁防止膜１の作用を説明する。本汚濁防止膜１を撤去する場合、まず、ジョイント用ロープ（ナス環付）１８を解放し、各々の汚濁防止膜１ａ，１ｂ，１ｃ，１ｄを分割させた状態にする。そして、フロート台船５上に設置された複数のウィンチ７（図７参照）を同期させて駆動し、吊上用ワイヤ６を巻き上げていく。これにより、図１に示すように、汚濁防止膜１（１ａ，１ｂ，１ｃ，１ｄ）は、下端が最下位置のワイヤガイド（環状部材）２に近接されるように上方に移動する。
【００２０】
この際、最下位置の中間部ウェイトチェーン２０の重みがカーテン１０の他側面１０ｂに作用して、カーテン１０の下端と最下位置のワイヤガイド２との間の部位が、当該カーテン１０の他側面１０ｂ側に湾曲して二つに折り重なる。また、従来の汚濁防止膜のようにカーテンの下縁にアンカーチェーン（図示せず）を設けていないので、従来のアンカーチェーンを備えた汚濁防止膜のように、吊上用ワイヤ６を巻き上げた際に、当該アンカーチェーン重みでカーテン１０が中央によってしまうようなことがない。
【００２１】
そして、汚濁防止膜１は、下端を最下位置のワイヤガイド２に十分に近接させると、下端で最下位置のワイヤガイド２を押し上げるようにして、最下位置のワイヤガイド２を縦方向に隣接するワイヤガイド２に近接させていく。この場合においても、これらワイヤガイド２間に繋止された中間部ウェイトチェーン２０の重みがカーテン１０の他側面１０ｂに作用し、カーテン１０の縦方向に隣接するワイヤガイド２間の部位が、当該カーテン１０の他側面１０ｂ側に湾曲して二つに折り重なる。このようにして、縦方向に隣接するワイヤガイド２間の部位がカーテン１０の他側面１０ｂ側に湾曲して二つに折り重なる動作を繰り返すことにより、本汚濁防止膜１は、図８に示すように、順次ジグザグ状に多段で折畳まれる。
【００２２】
この際、本汚濁防止膜１は、カーテン１０の繋合部１１を、縦方向に隣接するワイヤガイド２間の略中央、即ち当該ワイヤガイド２間の部位が二つに折り重なった際の屈折部に整合させたので、当該繋合部１１で汚濁防止膜１を無理なく屈折させることができ、容易に、且つコンパクトに折畳むことが可能となり、また、屈折される部分のカーテン１０に負担を掛けるようなことがない。さらに、本発明に係る汚濁防止膜１は、中間部ウェイトチェーン（中間ウェイトチェーン）２０を千鳥状に配設したので、多段で折畳んだ際のウェイトチェーンの重なりを最小限にして、より容易に引き上げることが可能となる。そして、折畳まれた汚濁防止膜１は、フロート台船５の側面に保持された状態でスリングベルト（図示せず）が巻回され、ジョイント金具１３から吊上用ワイヤ６を取り外し後、クレーン等により陸揚げされる。
【００２３】
したがって、本発明に係る吊下式汚濁防止膜１は、カーテン１０が縦方向に長い場合であっても、吊上用ワイヤ６をフロート台船５に設置したウィンチ７で巻き上げるだけで容易に水中から引き上げることができ、さらに、引き上げられた汚濁防止膜１は、ジグザグ状に多段で折畳まれた状態となる。
【００２４】
【発明の効果】
以上、詳細に説明したように、本発明に係る吊下式汚濁防止膜によれば、カーテンが縦方向に長い場合であっても、容易に水中から引き上げることができ、しかも、引き上げられた汚濁防止膜は、ジグザグ状に多段で折畳まれた状態となるので、特定水域に布設される吊下式汚濁防止膜に向けて好適となる。
【図面の簡単な説明】
【図１】本実施の形態の吊下式汚濁防止膜の説明図で、特に、吊上用ワイヤを引き上げることで、当該汚濁防止膜の下端と最下位置の環状部材との間の部位が二つに折り重なると共に、縦方向に隣接する環状部材間の部位が徐々に湾曲して折り重なる状態を示す図である。
【図２】本実施の形態の吊下式汚濁防止膜の説明図で、特に、ダムの堤体を囲むように布設された汚濁防止膜を示す斜視図である。
【図３】本実施の形態の吊下式汚濁防止膜の説明図で、特に、第１の汚濁防止膜単体の平面図である。
【図４】本実施の形態の吊下式汚濁防止膜の説明図で、特に、ダムの堤体を囲むように布設された汚濁防止膜を示す平面図である。
【図５】本実施の形態の吊下式汚濁防止膜の説明図で、特に、堤体に隣接する上部ウェイトチェーンを係船環に結合させた状態を示す図である。
【図６】本実施の形態の吊下式汚濁防止膜の説明図で、特に、吊上用ワイヤの一端とジョイント金具との接続状態を示す図である。
【図７】本実施の形態の吊下式汚濁防止膜の説明図で、特に、フロート台船上に設置されたウィンチに保持されてガイドローラで案内された吊上用ワイヤの状態を示す図である。
【図８】本実施の形態の吊下式汚濁防止膜の説明図で、特に、吊上用ワイヤがウィンチで巻き取られることで、順次ジグザグ状に多段で折畳まれる汚濁防止膜を示す図である。
【図９】本実施の形態の吊下式汚濁防止膜の説明図で、特に、繋合部及びジョイント用ロープ（ナス環付）を示すための図である。
【図１０】従来の吊下式汚濁防止膜の説明図である。
【符号の説明】
１          汚濁防止膜（吊下式汚濁防止膜）
２          ワイヤガイド（環状部材）
６          吊上用ワイヤ
１０        カーテン
１０ａ      一側面（汚濁防止膜）
１０ｂ      他側面（汚濁防止膜）
１１        繋合部
１９        上部ウェイトチェーン（中間ウェイトチェーン）
２０        中間部ウェイトチェーン（中間ウェイトチェーン）
【図１】
0004618525.tif 000002
【図２】
0004618525.tif 000003
【図３】
0004618525.tif 000004
【図４】
0004618525.tif 000005
【図５】
0004618525.tif 000006
【図６】
0004618525.tif 000007
【図７】
0004618525.tif 000008
【図８】
0004618525.tif 000009
【図９】
0004618525.tif 000010
【図１０】
0004618525.tif 000011